(57)【要約】【課題】  メガネフレームの金属製ツル先端に挿着される樹脂製のモダンであって、メガネを掛けることで該モダンから発するマイナスイオンを浴びて疲れを解消し、健康の増進を図ることが出来るメガネフレーム用モダンの提供。【解決手段】  モダン先端部内側に凹部１０を形成し、該凹部１０にはマイナスイオンを発生するピース１１を収容し、該ピース１１が外れ落ちないように小さな穴１３，１３・・を貫通した蓋１２を凹部１０に取付けている。【選択図】    図２                                                                      
2005092012.tif 000002
【特許請求の範囲】
【請求項１】
メガネフレームの樹脂製ツルにおいて、その先端内側に凹部を形成し、該凹部にはマイナスイオン、又は遠赤外線、又は香りを発生したり、脱臭効果、又は抗菌効果を備えたピースを収容し、該ピースが外れ落ちないように小さな穴を貫通した蓋を凹部に取付けたことを特徴とするメガネフレーム用ツル。
【請求項２】
上記マイナスイオン、遠赤外線、香りを放ち、及び脱臭効果、さらには抗菌効果を備えたピースとした請求項1記載のメガネフレーム用ツル。
【請求項３】
メガネフレームの樹脂製ツルにおいて、その先端内側に凹部を形成し、該凹部には磁石で構成したピースを収容し、該ピースが外れ落ちないように小さな穴を貫通した蓋を凹部に取付けたことを特徴とするメガネフレーム用ツル。
【請求項４】
メガネフレームの樹脂製ツルにおいて、その先端内側に凹部を形成し、該凹部にはチタン材で構成したピースを収容し、該ピースが外れ落ちないように小さな穴を貫通した蓋を凹部に取付けたことを特徴とするメガネフレーム用ツル。
【請求項５】
上記凹部に収容したピースは転動可能な状態とした請求項１、請求項２、請求項３、又は請求項４記載のメガネフレーム用ツル。
【請求項６】
メガネフレームの樹脂製ツルにおいて、その先端内側に凹部を形成し、該凹部にはマイナスイオン等を発生するピースを収容し、該ピースが外れ落ちないように小さな穴を貫通した蓋を凹部に取付けたことを特徴とするメガネフレーム用ツル。
【請求項７】
メガネフレームの金属製ツル先端に挿着される樹脂製のモダンにおいて、モダン先端部内側に凹部を形成し、該凹部にはマイナスイオン、又は遠赤外線、又は香りを発生したり、脱臭効果、又は抗菌効果を備えたピースを収容し、該ピースが外れ落ちないように小さな穴を貫通した蓋を凹部に取付けたことを特徴とするメガネフレームのツル先端に挿着されるモダン。
【請求項８】
上記マイナスイオン、遠赤外線、香りを放ち、及び脱臭効果、さらには抗菌効果を備えたピースとした請求項７記載のメガネフレームのツル先端に挿着されるモダン。
【請求項９】
メガネフレームの金属製ツル先端に挿着される樹脂製のモダンにおいて、モダン先端部内側に凹部を形成し、該凹部には磁石で構成したピースを収容し、該ピースが外れ落ちないように小さな穴を貫通した蓋を凹部に取付けたことを特徴とするメガネフレームのツル先端に挿着されるモダン。
【請求項１０】
メガネフレームの金属製ツル先端に挿着される樹脂製のモダンにおいて、モダン先端部内側に凹部を形成し、該凹部にはチタン材で構成したピースを収容し、該ピースが外れ落ちないように小さな穴を貫通した蓋を凹部に取付けたことを特徴とするメガネフレームのツル先端に挿着されるモダン。
【請求項１１】
上記凹部に収容したピースは転動可能な状態とした請求項７、請求項８、請求項９、又は請求項１０記載のメガネフレームのツル先端に挿着されるモダン。
【請求項１２】
メガネフレームの金属製ツル先端に挿着される樹脂製のモダンにおいて、モダン先端部内側に凹部を形成し、該凹部にはマイナスイオン等を発生するピースを収容し、該ピースが外れ落ちないように小さな穴を貫通した蓋を凹部に取付けたことを特徴とするメガネフレームのツル先端に挿着されるモダン。
【発明の詳細な説明】
【技術分野】
【０００１】
本発明はマイナスイオンを発生し、遠赤外線を放射し、脱臭力があり、又抗菌性を有すように構成したメガネフレームのツル及びモダンに関するものである。ここで、対象とするメガネは矯正用メガネに限らずサングラスも対象とする。
【背景技術】
【０００２】
メガネは一般に長時間にわたって顔に掛けるために、疲れないように色々な工夫がなされている。第一に軽いことが重要であって、その為に、近年のメガネフレームはチタン材が主流となっている。また、金属製メガネフレームのみならず、樹脂製メガネフレームの場合であっても、細くてスリムな部材で構成されることでその重量を軽減している。そして、バネ性にも優れていて、長時間にわたって掛けていても位置ズレすることなく、一方では痛みを感じないように工夫されている。
【０００３】
ところで、常時掛けているメガネであるために、単に掛け易くて疲れにくいといったように、メガネフレームとしての消極的な要件を充たすだけでなく、メガネを掛けることで心が落ち着き仕事上のストレスを解消し、ひいては健康の増進に結びつくような積極的な要件を備えたメガネフレームが求められている。例えば、マイナスイオンを発生する場に身を置くことで、心が和らぐことが出来るように、該マイナスイオンを放つことが出来る装置が知られている。
【０００４】
ところで、マイナスイオンとは空気中に含まれる僅かな電気を帯びた物質(原子、分子、又は分子集団)のことを言い、マイナスイオンは幾つかの空気中の分子が結合・集団化した塊となって空気中を浮遊する。そして、この塊には小イオン、中イオン、大イオンがあり、生体への効果が高いものは小イオンとされる。マイナスイオンの個数は一般的な生活空間では、０〜数百個／ｃｍ3程度であるが、滝や噴水などの水しぶきの多い場所ではマイナスイオンの数が多くなる。
【０００５】
マイナスイオンを発生させる方法には、金属電極を用いて放電させるもの、水を粉砕させるもの、紫外線を利用するもの、天然鉱石を用いるもの、等が知られ、これら方法を具体的に応用した家電製品が製作されている。例えば、マイナスイオンを発生するエアコン、ドライヤーなどの家電製品、その他に衣類や寝具などもある。
【発明の開示】
【発明が解決しようとする課題】
【０００６】
このように、近年、マイナスイオンを発生する家電製品や衣類などが市販されているが、常に身に着けていることは出来ない。本発明が解決しようとする課題はこの問題点であって、床に就くとき以外は常時着用するメガネを対象とし、該メガネからマイナスイオンを発生させるようにしたものである。そして、メガネの製作が簡単であり、また発生するマイナスイオンが弱まった場合やほとんど発生しなくなった場合には、メガネを購入することなく、一部品を交換することで対応可能なメガネフレームのツル及びモダンを提供する。しかも、上記マイナスイオンのみならず、遠赤外線を放射したり、脱臭力を備え、抗菌性に優れたツル及びモダンを提供する。
【課題を解決するための手段】
【０００７】
本発明に係るメガネフレーム用ツルは、その先端部に凹部を形成し、この凹部にマイナスイオンを発生するピースを収容し、該ピースが凹部から外れ落ちないように蓋を取付ける構造としている。ここで、マイナスイオンを発生するための上記ピースの材質は限定しないこととし、また凹部に取付けられる蓋の取付け構造も限定しない。そして、上記凹部に収容されるピースは固定されることなく、自由に転動することが出来るように、凹部形状及び凹部寸法が定まっている。
【０００８】
一方、蓋には小さな穴が貫通して設けられ、ピースから発生したマイナスイオンが穴から通過して顔に当るようになっている。ところで、樹脂製のツルの場合には、該ツル先端に凹部を形成し、この凹部にピースを収容して蓋を取付ける構造とし、金属製ツルの場合には樹脂製モダンが挿着されるために、このモダン先端部に凹部を形成し、該凹部にピースを収容して蓋を取付ける構造としている。
【０００９】
一方、上記ピースはマイナスイオンを発生する場合の他に、遠赤外線を放射することが出来る場合、香りを放つ場合、脱臭機能を備えた場合、抗菌性を備えた場合があり、ピースを選択することでこれらの機能を備えたメガネとなる。勿論、マイナスイオン、遠赤外線、香り、脱臭機能、抗菌作用を同時に備えたピースとすることも出来る。さらに、ピースの材質を磁石として肩凝り防止効果をもたらし、ピース材質をチタンとすることで血行を良好ならしめる効果を得ることが出来る。
【発明の効果】
【００１０】
本発明のツルはマイナスイオンを発生することができ、そのためにメガネを掛けることで心が安らぎ、ストレスの解消を図る上で効果がある。またマイナスイオンは自律神経を調整して副交感神経を活性化し、血圧の安定化、血流の流れを促進し、また免疫力を強化して健康増進に効果がある。これは単にメガネを掛けていることで得ることが出来、私生活においてメガネが必要となる人にとっては何ら労なくしてマイナスイオンの効果を得ることが出来る。
【００１１】
そして、本発明ではツル又はモダンの先端部に設けた凹部にマイナスイオンを発生するピースを収容し、外れ落ちないように蓋をする構造であるために、発生するマイナスイオンが弱まった場合、又はマイナスイオンの発生がほとんどゼロとなった場合には、該ピースを新たに交換することでメガネを換えることなしに、常にマイナスイオンを浴びることが可能となる。
【００１２】
そして、凹部に収容されるピースは転動する度に圧力や摩擦が発生することでマイナスイオンは発生し易く、蓋に設けた穴を通して外へ放射し、顔に浴びせることが出来る。一方、マイナスイオンの他に、必要に応じて遠赤外線や香りを放つピースを凹部に収容することも出来、脱臭機能や抗菌作用を備えることも可能である。以下、本発明に係る実施例を図面に基づいて詳細に説明する。
【実施例】
【００１３】
図１は一般的な金属製のメガネフレームを表している。フロント部１は両リム２，２と、両リム２，２を連結する連結部材３、リム外側にロウ付けされているヨロイ４，４、そしてヨロイ４，４には蝶番５，５を介してツル６，６が折畳み出来るように取付けられている。またリム内側であって連結部材３の下側には鼻当てパット７，７が取付けられている。
【００１４】
ところで、このように構成されているメガネフレームは、そのフロント部１を鼻当てパット７，７を鼻に当てて支え、両ツル６，６を顔の側面から先端部を耳に掛けている。その為に、ツル先端部には樹脂製のモダンが挿着されていて、痛みを感じないようになっている。本発明のモダンはその先端部からマイナスイオンを発生するように構成され、図２(ａ)〜(ｃ)は該モダン８の具体例である。
【００１５】
モダン８は金属製のツル６に挿着されるように中心軸には細い穴が先端部付近まで設けられ、図２(ａ)に示しているように先端部の内面９には凹部１０を設けている。そして、この凹部１０には図２(ｂ)、(ｃ)に示すようにマイナスイオンを発生するピース１１が収容され、該凹部１０には蓋１２が取付けられてピース１１が外れ落ちないようにされる。ここで、ピース１１の材質及び成分は限定しないことにするが、マイナスイオンを発生することが必要であり、例えば、トルマリンを用いることが出来る。
【００１６】
トルマリンはその内部にマイナスイオンが詰まっている訳ではなく、空気中の小さな電気を集約して効率よく周囲に放出するもので、こうして発せられる電気が空気をマイナスイオン化したり、生体に直接作用する。そして、該トルマリンは、静止状態では僅かなマイナスイオンしか発生しないが、圧力や摩擦、熱などが結晶に加わることで自発的にマイナスイオンを発生する性質がある。
【００１７】
そこで、本発明では凹部１０にトルマリン等から成るピース１１が収容されて蓋１２が取付けられた状態で、該ピース１１は転動することが可能な収容状態となっている。その為に、該ピース１１の形態としては同図に示す球が適しており、球は転動し易くて凹部内面及び蓋１２と摩擦接触を起こし、その都度マイナスイオンが活発に発生する。そして発生したマイナスイオンが蓋１２を通して外へ放出されるように、蓋１２には小さな穴１３，１３・・が貫通している。ここで同図に示しているように、凹部１０はモダン８との内側（頭部側）に形成され、凹部１０に収容したピース１１から発生するマイナスイオンが蓋１２の穴１３，１３・・を通して頭部に浴びさせるようにしている。
【００１８】
ところで、上記マイナスイオンを発生するピース１１としては、あらゆる方向に転動することが出来る球が好ましいが、球に限定するものではなく、例えば円柱形状としたり、サイコロ形状とする場合もある
一方、樹脂製のツルの場合には、上記モダンの場合と同じく先端部内側に凹部を形成し、該凹部にマイナスイオンを発生するピースを収容し、そして凹部に蓋をする。
【００１９】
そして、上記ピースから遠赤外線や香りを放つようにする場合、又脱臭効果や抗菌効果を備えたメガネとする場合にも、前記実施例と同じように、ツル又はモダンに形成した凹部にこれら機能を有すピースを収容し、蓋を取付することが出来る。ここで、上記マイナスイオン、遠赤外線、脱臭効果、抗菌効果を備えたピースの材質として、例えばシリカ及びアルミナを主成分とした水晶に近い多元素含有鉱物であるセラミック製ピースを用いることが出来る。
【図面の簡単な説明】
【００２０】
【図１】金属製メガネフレーム。
【図２】本発明のモダンを示す実施例。
【符号の説明】
【００２１】
１  フロント部
２  リム
３  連結部材
４  ヨロイ
５  蝶番
６  ツル
７  鼻当てパット
８  モダン
９  内面
10  凹部
11  ピース
12  蓋
13  穴
【図１】
2005092012.tif 000003
【図２】
2005092012.tif 000004